(57)【要約】【課題】入浴者に継続的に運動させることができる浴槽装置を提供する。【解決手段】  浴槽と、前記浴槽に設けられ、前記浴槽の浴槽壁面に沿う噴流を吐出する吐水部と、前記吐水部に接続され、前記吐水部から吐水される噴流の水量を調節する吐水駆動部と、を備え、前記制御部は、前記吐水駆動部を制御して前記入浴者を揺動させる強さの、前記浴槽壁面に沿った旋回流を生成する噴流を、前記吐水部から間欠的に吐水させることを特徴とする浴槽装置を提供する。【選択図】  図１
2010220956.tif 000002
【特許請求の範囲】
【請求項１】
浴槽と、
前記浴槽に設けられ、前記浴槽の浴槽壁面に沿う噴流を吐出する吐水部と、
前記吐水部に接続され、前記吐水部から吐水される噴流の水量を調節する吐水駆動部と、
を備え、
前記制御部は、前記吐水駆動部を制御して前記入浴者を揺動させる強さの、前記浴槽壁面に沿った旋回流を生成する噴流を、前記吐水部から間欠的に吐水させる
ことを特徴とする浴槽装置。
【請求項２】
前記吐水部は、
前記浴槽壁面に沿って噴流を吐水し、浴槽内に第一の旋回流を生成する第一の吐水部と、
前記浴槽壁面に沿って噴流を吐水し、浴槽内に第一の旋回流とは逆方向の、第二の旋回流を生成する第二の吐水部と、
を有し、
前記制御部は、前記入浴者を揺動させる強さの、前記浴槽壁面に沿った旋回流を生成する噴流を、前記第一及び第二の吐水部からそれぞれ間欠的に、且つ交互に吐水させる
ことを特徴とする請求項１に記載の浴槽装置。
【請求項３】
前記吐水部は、
前記浴槽壁面に沿って噴流を吐水し、前記浴槽内に前記第一の旋回流を生成する第三の吐水部と、
前記浴槽壁面に沿って噴流を吐水し、前記浴槽内に前記第二の旋回流を生成する第四の吐水部と
を有し、
前記第三の吐水部は、前記第一の吐水部から前記浴槽の略中心より点対称の位置に配置され、
前記第四の吐水部は、前記第二の吐水部から前記浴槽の略中心より点対称の位置に配置され、
前記制御部は、
前記第一の吐水部と前記第三の吐水部からの噴流を同期させ、
前記第二の吐水部と前記第三の吐水部からの噴流を同期させる
ことを特徴とする請求項１または２に記載の浴槽装置。
【請求項４】
前記浴槽は、
前記入浴者を揺動させる強さの、前記浴槽壁面に沿った旋回流を減衰させないよう、
前記浴槽を略円状とした
ことを特徴とする請求項１乃至３に記載の浴槽装置。
【発明の詳細な説明】
【技術分野】
【０００１】
本発明は、浴槽装置に関し、より詳細には、入浴者に運動させる浴槽装置に関する。
【背景技術】
【０００２】
近年、社会的に健康志向が高まり、フィットネスやエクササイズなどの運動によって健康管理を行いたいという要求が高まっている。また、入浴中に手軽に運動したいという要望もある。
【０００３】
例えば、特許文献１には、浴槽内全体を一方向に流れて被施療者に対して直接的かつ連続的に当たる一様流を生成し、前記一様流中において被施療者に対して直接的かつ連続的に当たる部分的な噴流を生成したことを特徴とする水流式体表刺激装置が開示されている。
【０００４】
また、特許文献２には、浴槽内の流体を循環させる流体通路を浴槽に付設した温水流発生装置において、浴槽に形成された０．０２〜０．２５ｍ２の流入口から、浴槽内で乱流となる加圧流体を噴出する機構を設けたことを特徴とする温水流発生装置が開示されている。
【０００５】
しかしながら、特許文献１及び２に開示された装置は、入浴者に一様な噴流を当ててマッサージなどを施すものであり、入浴者に運動させるものではない。
【０００６】
一方、特許文献３には、浴槽と、前記浴槽の長手方向一端部の内側面において前記浴槽に対して揺動自在に設けられた揺動上体支持部、前記浴槽の底面において前記浴槽に対して揺動自在に設けられた揺動腰支持部、及び前記浴槽の長手方向他端部の内側面において前記浴槽に対して揺動自在に設けられた揺動足支持部からなる群から選択された１以上の支持部と、前記浴槽の内部に水流を発生させる水流発生装置と、を備えたことを特徴とする浴槽装置が開示されている。この技術では、入浴者は例えば上体、腰及び足をそれぞれ揺動上体支持部、揺動腰支持部及び揺動足支持部に預けているため、元々姿勢が不安定であり、入浴者はバランスをとりながら姿勢を維持する補償動作を行うこととなる。この補償動作により、入浴者に運動を行わせている。そして、かかる状態で入浴者に水流を当てて入浴者の姿勢がより不安定となる状態を作り出して、入浴者により機敏且つ強力に補償動作を行わせることにより、効果的に入浴者に運動を行わせることとしている。
【先行技術文献】
【特許文献】
【０００７】
【特許文献１】特開平２−１２７２号公報
【特許文献２】特開２００３−３８６０３号公報
【特許文献３】特開２００８−２００１０９号公報
【発明の概要】
【発明が解決しようとする課題】
【０００８】
本発明は、入浴者に継続的に運動させることができる浴槽装置を提供する。
【課題を解決するための手段】
【０００９】
本発明の一態様によれば、浴槽と、前記浴槽に設けられ、前記浴槽の浴槽壁面にそって噴流を吐出する吐水部と、前記噴流の状態を制御し、前記噴流の状態を、流量がゼロであるまたは相対的に流量の小さい第１の噴流状態と、相対的に流量の大きい第２の噴流状態と、に設定可能であり、且つ、前記第１の噴流状態と前記第２の噴流状態との移行時において前記浴槽内に溜められた湯水の旋回によって前記入浴者の身体を揺動させる強さの噴流を前記吐水部から間欠的に吐出さえるように設定可能な制御部を備えたことを特徴とする浴槽装置が提供される。
【発明の効果】
【００１０】
本発明によれば、入浴者に継続的に運動させることができる浴槽装置が提供される。
【図面の簡単な説明】
【００１１】
【図１】本発明の実施形態に係る浴槽装置を例示する模式図である。
【図２】本発明の具体例１に係る浴槽装置の構成及び動作を例示する模式平面図である。
【図３】本発明の具体例１に係る浴槽装置の構成及び動作を例示する模式側面図である。
【図４】本発明の浴槽装置における、時間に対するノズルからの吐水流量の具体例を例示するグラフ図である。
【図５】本発明の具体例２に係る浴槽装置の構成及び動作を例示する模式平面図である。
【図６】本発明の具体例２に係る浴槽装置の構成及び動作を例示する模式側面図である。
【図７】本発明の浴槽装置における、時間に対するノズルからの吐水流量の具体例を例示するグラフ図である。
【図８】具体例３に係る浴槽装置の構成及び動作を例示する模式平面図である。
【図９】具体例３に係る浴槽装置の構成及び動作を例示する模式側面図である。
【図１０】本発明の浴槽装置における、時間に対するノズルからの吐水流量の具体例を例示するグラフ図である。
【図１１】本発明の具体例４に係る浴槽装置の構成及び動作を例示する模式平面図である。
【図１２】本発明の具体例４に係る浴槽装置の構成及び動作を例示する模式平面図である。
【図１３】本発明の具体例４の変形例に係る浴槽装置の構成及び動作を例示する模式平面図である。
【図１４】本発明の浴槽装置における、噴流状態の態様を例示する模式グラフ図である。
【図１５】具体例３の変形例に係る浴槽装置の構成及び動作を例示する模式平面図である。
【発明を実施するための形態】
【００１２】
第１の発明は、浴槽と、前記浴槽に設けられ、前記浴槽の浴槽壁面に沿う噴流を吐出する吐水部と、前記吐水部に接続され、前記吐水部から吐水される噴流の水量を調節する吐水駆動部と、を備え、前記制御部は、前記吐水駆動部を制御して前記入浴者を揺動させる強さの、前記浴槽壁面に沿った旋回流を生成する噴流を、前記吐水部から間欠的に吐水させることを特徴とする浴槽装置である。  
この浴槽装置によれば、浴槽側面に沿って吐水部より吐出される噴流が、浴槽内に溜められた湯水を旋回させる。それによって、この浴槽内に生まれる旋回流は、浴槽内の使用者の入浴姿勢を揺動させると共に、使用者に体幹部を中心とした旋回運動を誘発させる。即ち、入浴しながら、ストレッチや筋機能を高める運動を提供することが可能となる。
【００１３】
第２の発明は、第１の発明において、前記吐水部は、前記浴槽壁面に沿って噴流を吐水し、浴槽内に第一の旋回流を生成する第一の吐水部と、前記浴槽壁面に沿って噴流を吐水し、浴槽内に第一の旋回流とは逆方向の、第二の旋回流を生成する第二の吐水部と、を有し、前記制御部は、前記入浴者を揺動させる強さの、前記浴槽壁面に沿った旋回流を生成する噴流を、前記第一及び第二の吐水部からそれぞれ間欠的に、且つ交互に吐水させることを特徴とする浴槽装置である。
この浴槽装置によれば、浴槽側面に備わる吐水部は、浴槽側面に沿って噴流を吐出し、浴槽内に溜められた湯水を時計周り方向と反時計周り方向に旋回させることが可能である。それによって、この浴槽内に生まれる二つの回転方向の旋回流は、浴槽内の使用者の入浴姿勢を効果的に揺動させると共に、使用者に体幹部を中心とした旋回運動を誘発させる。特に使用者の身体部位において、左右均等に、かつ、全身を刺激することとなる。即ち、入浴しながら、ストレッチや筋機能を高める運動を効果的行えることが可能となる。
【００１４】
第３の発明は、第１または第２の発明において、前記吐水部は、前記浴槽壁面に沿って噴流を吐水し、前記浴槽内に前記第一の旋回流を生成する第三の吐水部と、前記浴槽壁面に沿って噴流を吐水し、前記浴槽内に前記第二の旋回流を生成する第四の吐水部とを有し、前記第三の吐水部は、前記第一の吐水部から前記浴槽の略中心より点対称の位置に配置され、前記第四の吐水部は、前記第二の吐水部から前記浴槽の略中心より点対称の位置に配置され、前記制御部は、前記第一の吐水部と前記第三の吐水部からの噴流を同期させ、前記第二の吐水部と前記第三の吐水部からの噴流を同期させることを特徴とする浴槽装置である。
この浴槽装置によれば、浴槽側面に備わる吐水部は、浴槽側面に沿って噴流を吐出し、浴槽内の溜められた湯水を時計周り方向と反時計周り方向に旋回させることが可能とである。その時、吐水部を浴槽の略中心より点対称の位置に配置する。すると、浴槽側面に生成される旋回流は、浴槽内週の半分程度で噴流が吐出されるため、使用者を揺動させる旋回流を維持することが可能となり、より効果的に使用者へ旋回運動を提供するとともに、入浴しながらのストレッチ運動や筋機能を高める運動を実現できるようになる。
【００１５】
前記浴槽は、前記入浴者を揺動させる強さの、前記浴槽壁面に沿った旋回流を減衰させないよう、前記浴槽を略円状としたことを特徴とする浴槽装置である。
この浴槽装置によれば、浴槽側面を略円状とすることで、浴槽側面に沿って吐水部より吐出される噴流が、減衰することなく浴槽内に溜められた湯水を旋回させる。また、減衰が少ない旋回流によって、誘発される使用者の揺動も略円状の浴槽壁面に沿って、滑らかに揺り動かさる。即ち、障害壁などに衝突することもなく快適に旋回運動、ストレッチ運動を入浴者は受けることが可能となる。
【００１６】
以下、図面を参照し、本発明の実施形態について説明する。なお、各図面中、同様の構成要素には同一の符号を付して詳細な説明は適宜省略する。  
図１は、本発明の実施形態に係る浴槽装置を例示する模式図である。図１（ａ）は模式断面図であり、図１（ｂ）は模式平面図である。
【００１７】
図１に表したように、本実施形態に係る浴槽装置１は、浴室ユニット６０内に設けられている。浴室ユニット６０は、防水パン６１によって床が構成されており、壁パネル６２によって壁が構成されており、天井パネル（図示せず）によって天井が構成された箱形の水密ユニットである。浴槽装置１は、防水パン６１上に配置されている。
【００１８】
浴槽装置１には、浴槽２が設けられている。浴槽２の形状は例えば略直方体形状であり、この場合浴槽２は、背もたれ可能な背側面（第１の壁面）２ａと、背側面２ａに対向する足側面（第２の壁面）２ｂと、背側面２ａの左側から足側面２ｂの右側にかけて延在する右側面（第３の壁面）２ｄと、背側面２ａの右側から足側面２ｂの左側にかけて延在する左側面（第４の壁面）２ｅと、底面２ｃと、を有する。入浴者Ｍは、背側面２ａに背を向け足側面２ｂに足を向けて浴槽２内に入浴することになる。
【００１９】
また、浴槽２には、浴槽壁面に沿って噴流を吐出するノズル（吐水部）３が設けられている。例えば、図１に表したように、足側面２ｂには、ノズル３１Ｒ、３１Ｌを設けることができる。ノズル３１Ｒ及び３１Ｌは、右側面２ｄと左側面２ｅに沿って背側面２ａに向かった噴流を噴出する。
【００２０】
また、右側面２ｄにノズル３５Ｒを設けることができ、右側面２ｄに沿って背側面２ａに向かった噴流を噴出する。そして、左側面２ｅにノズル３５Ｌを設けることができ、左側面２ｅに沿って背側面２ａに向かった噴流を噴出する。また、ノズル３５Ｒは、右側面２ｄに沿って足側面２ｂに向かった噴流も噴出する。そして、ノズル３５Ｌは、左側面２ｅに沿って足側面２ｂに向かった噴流も噴出する。すなわち、浴槽の側面に設けられたノズル３５R、３５Lは、背側面２ａ方向と足側面２ｂ方向の両方に噴流を吐水することが可能である。
【００２１】
また、背側面２ａには、ノズル３４Ｒ、３４Ｌを設けることができる。ノズル３４Ｒ及び３４Ｌは、それぞれ右側面２ｄと左側面２ｅに沿って足側面２ｂに向かった噴流を噴出する。
【００２２】
なお、以下において、ノズル３１Ｒ及び３１Ｌ、ノズル３４Ｒ及び３４Ｌ、並びにノズル３５Ｒ及び３５Ｌを、それぞれまとめて「ノズル３１」、「ノズル３４」、「ノズル３５」と呼ぶことがある。
【００２３】
これらの左右一対のノズルは、水平方向に並列して配列されており、例えば、右側面２ｄ及び左側面２ｅから等距離にある中心線Ｃ（図１（ｂ）参照）に関して対称となる位置に配置されている。なお、図１においては、図示の便宜上、ノズル３１Ｒ及び３１Ｌを相互にずらして描いているが、実際にはノズル３１Ｒ及び３１Ｌは同じ高さに配置されている。
【００２４】
浴槽２の長手方向の長さ、すなわち、背側面２ａから足側面２ｂまでの長さは、標準的な体格の入浴者Ｍが入浴姿勢をとったとき、すなわち、臀部を底面２ｃに接触させ、背中ｍ２を背側面２ａに接触させ、足裏ｍ６を足側面２ｂに対向させたときに、足裏ｍ６が足側面２ｂに接触する程度の長さである。
【００２５】
また、浴槽装置１には、噴流を生成する吐水駆動部として、ポンプ４が設けられている。ポンプ４は、ノズル３に接続している。なお、図１では、簡略化のためノズル３１に接続するポンプ４のみを描いたが、他のノズルが設けられている場合には、当該ノズルには同様にポンプ４が接続している。図１に表したポンプ４は、入浴者の右側に位置するノズル３１Ｒに水を吐出するポンプ４Ｒと、入浴者の左側に位置するノズル３１Ｌに水を吐出するポンプ４Ｌと、を有する。つまり、ポンプ４Ｒはノズル３１Ｒに接続しており、ポンプ４Ｌはノズル３１Ｌに接続している。ポンプ４の吸入口７は、浴槽２の内部に連通している。これにより、ポンプ４は浴槽２内から水を汲み上げ、噴流を生成して吐出する。なお、本願明細書において「水」という場合には、冷水のみならず、加熱された温水や湯も含むものとする。また、本願明細書における「噴流」は、水の噴流のみならず、必要に応じ、空気を含んだ気泡水の噴流としてもよい。
【００２６】
ポンプ４は、図示した２つのポンプ４Ｒ及び４Ｌを必ずしも有していなくともよく、１つのポンプであってもよい。この場合には、ポンプ４によって生成された噴流の流路を切り替えて、噴流をノズル３１Ｒ及び３１Ｌに対して交互に供給する切替部が、ノズル３１とポンプ４との間に設けられる。これによれば、ポンプ４のサイズを小さくすることができ、足側面２ｂと壁パネル６２との間の距離を短縮することができる。これにより、防水パン６１、足側面２ｂ、及び壁パネル６２により囲まれ、ポンプ４等を収納する空間を小さくすることができ、浴槽ユニット内の限られた空間を有効に利用することができる。
【００２７】
また、ノズル３４などがさらに設けられている場合には、ノズル３４などにそれぞれ接続するポンプ４を別個に設けてもよく、あるいはノズル３１、ノズル３４等の全部または一部が１つのポンプ４を共有する構成にしてもよい。後者の場合は、ポンプ４によって生成された噴流の流路を切り替えて、噴流をノズル３１やノズル３４などに対して交互に供給する切替部を設けることができる。
【００２８】
図１に表した浴槽装置１によれば、ポンプ４は、ノズル３１Ｒ及び３１Ｌにそれぞれ接続したポンプ４Ｒ及び４Ｌを有するため、ノズル３１Ｒ及び３１Ｌからそれぞれ独立した態様で噴流を吐出することができる。例えば、ノズル３１Ｒ及び３１Ｌからは、異なる吐水流量や吐水時間の噴流を吐出できる。
【００２９】
浴槽装置１には、噴流を生成する吐水駆動部であるポンプ４の動作を制御する制御部５がさらに設けられている。制御部５は、ポンプ４に電気的に接続し、ポンプ４の動作を制御することによりノズル３からの噴流の状態を制御できる。そして、制御部５は、ノズル３からの噴流の状態を、次のように制御する。すなわち、制御部５は、噴流の状態を、相対的に流量の小さい第１の噴流状態と、相対的に流量の大きい第２の噴流状態と、に設定できる。そして、第１の噴流状態と第２の噴流状態との間の移行時において、噴流の作用により入浴者Ｍの身体を揺動させることができる。より詳細には、ノズル３から浴槽側面（２ａ、２ｂ、２ｃ、２ｄ）に沿って噴出される噴流が、浴槽内に溜められた湯水を、浴槽壁面に沿った時計周りの旋回流Ｄ１と反時計回りＤ２の旋回流を生成することで、旋回流と同方向に入浴者Ｍの身体を揺動させることが出来る。
例えば、浴槽壁面に沿う第１の噴流状態に対しては、入浴者Ｍの身体部位が噴流によって生成された浴槽壁面に沿う旋回流の回転方向と逆向きに移動し、一方、浴槽壁面に沿う第２の噴流状態に対しては、入浴者Ｍの身体部位が噴流によって生成された浴槽壁面に沿う旋回流の回転方向と同方向に移動するように設定できる。
【００３０】
第１の噴流状態のときのノズル３からの吐水流量Ｑ１は、例えば約３０リットル／分程度である。一方、第２の噴流状態のときのノズル３からの吐水流量Ｑ２は、例えば約１２０〜１８０リットル／分程度である。このように、第２の噴流状態のときの吐水流量Ｑ２は、マッサージ用として噴出される噴流の吐水流量よりもかなり大きい。そのため、第２の噴流状態のときのノズル３からの噴流は、浴槽内に蓄えられた湯水を旋回させることができる。そして、旋回される浴槽内の湯水の働きによって、入浴者Ｍは、体幹部（胴体）ｍ１を前後に動かしたり旋回させたりすることができる。
【００３１】
また、浴槽装置１は、例えばリモコンなどの操作部８を備えてもよい。操作部８は、例えば、浴室ユニット６０の壁パネル６２に取り付けられており、入浴者Ｍからの操作により制御部５へ制御信号を送信できる。そして、制御部５は、操作部８からの制御信号に基づいてポンプ４の動作を制御できる。つまり、入浴者Ｍは、操作部８を操作することによりポンプ４の動作を制御し、ノズル３からの噴流の状態を変更できる。
【００３２】
なお、前述したように、第１の噴流状態のときの吐水流量Ｑ１は、例えば約３０リットル／分程度や、０（ゼロ）リットル／分へ設定できる。もし、吐水流量Ｑ１が、０（ゼロ）リットル／分でない時、制御部５がノズル３からの噴流を第１の噴流状態から第２の噴流状態に切り替えた場合でも、ポンプ４に対して過負荷がかかるおそれは少ない。さらに、第１の噴流状態から第２の噴流状態に切り替わる時間、すなわち吐水流量Ｑ１から吐水流量Ｑ２の噴流が吐水されるまでの時間を短縮することもできる。
【００３３】
次に、浴槽装置１の構成及び動作の具体例について、図面を参照しつつ説明する。  
（具体例１）
まず、本実施形態の浴槽装置１の構成及び動作の一例（具体例１）について、図２〜図４を参照しつつ説明する。
【００３４】
図２（ａ）及び（ｂ）は、具体例１に係る浴槽装置１の構成及び動作を例示する模式平面図である。
図３（ａ）及び（ｂ）は、具体例１に係る浴槽装置１の構成及び動作を例示する模式側面図である。
図２（ａ）及び図３（ａ）は、浴槽内に溜められた湯水が、時計回りに旋回する（ＣｌｏｃｋＷｉｓｅ：ＣＷ）状態を表している。図２（ｂ）及び図３（ｂ）は、反時計回りに旋回する（ＣｏｕｎｔｅｒＣｌｏｃｋＷｉｓｅ：ＣＣＷ）状態を表している。
【００３５】
図２及び図３に表したように、具体例１では、背側面２ａにノズル３４（ノズル３４Ｒ、３４Ｌ）が設けられている。そして、制御部５は、ノズル３４Ｒから吐出される噴流の状態を、第１の噴流状態と、第２の噴流状態と、に交互に設定するとともに、ノズル３４Ｌから吐出される噴流の状態を、第１の噴流状態と、第２の噴流状態と、に交互に設定する。また、制御部５は、ノズル３４Ｒ及びノズル３４Ｌからの噴流状態が逆位相となるように制御する。すなわち、ノズル３４Ｌから吐出される噴流の状態は、ノズル３４Ｒから吐出される噴流の状態が第１の噴流状態であるときの略全期間において第２の噴流状態となり、ノズル３４Ｒから吐出される噴流の状態が第２の噴流状態であるときの略全期間において第１の噴流状態となる。以下、浴槽装置１の動作及び入浴者Ｍの状態について詳細に説明する。
【００３６】
吐水部３の名称の詳細を各図より説明する。図２（ａ）において、時計周りの旋回流Ｄ１を生成するために、左側面２ｅに沿った第２の噴流状態Ａ２（吐水流量Ｑ２）を吐水する第１の吐水部を３４Ｌとする。一方、図２（ｂ）において、反時計周りの旋回流Ｄ２を生成するために、右側面２ｄに沿って第２の噴流状態Ａ２（吐水流量Ｑ２）を吐水する第２の吐水部を３４Ｒとする。
【００３７】
まず、浴槽２内に水（湯）Ｗを入れた状態で、入浴者Ｍが浴槽２内に入り、入浴姿勢をとる（図１参照）。すなわち、入浴者Ｍは、臀部を底面２ｃに接触させ、背中ｍ２を背側面２ａに接触させ、足裏ｍ２を足側面２ｂに接触させる初期姿勢をとる。このとき、入浴者Ｍはリラックスした状態にあり、足関節、膝関節、及び股関節は脱力しているものとする。
【００３８】
この状態から、ポンプ４を作動させる。これにより、ポンプ４は、浴槽２内の水を吸入口７から汲み上げて噴流を生成し、ノズル３４に対して供給する。このとき、ノズル３４Ｒ及び３４Ｌからそれぞれ吐出される噴流の時間に対する吐水流量は、例えば図４に表した如くである。
【００３９】
図４は、時間に対するノズルからの吐水流量の具体例を例示するグラフ図である。  
図４に表したグラフ図においては、周期に対する吐水流量Ｑ２が持続する時間の割合（比率）を表すデューティ比は、「０．５」である。但し、このデューティ比（０．５）は、一例にすぎず、これだけに限定されるわけではない。なお、本願明細書において「周期」とは、第１の噴流状態（吐水流量Ｑ１）が開始してから次の第１の噴流状態（吐水流量Ｑ１）が開始するまでの時間、あるいは第２の噴流状態（吐水流量Ｑ２）が開始してから次の第２の噴流状態（吐水流量Ｑ２）が開始するまでの時間をいうものとする。
【００４０】
また、第１の噴流状態（吐水流量Ｑ１）と、第２の噴流状態（吐水流量Ｑ２）と、は交互に切り替えられ、ノズル３４Ｒ及びノズル３４Ｌからの噴流状態は逆位相である。
【００４１】
まず、図２（ａ）及び図３（ａ）の矢印Ａ２で示すように、制御部５はポンプ４を作動させ、ノズル３４Ｌから吐水流量Ｑ２の噴流を吐出させる。また、図２（ａ）の矢印Ａ１で示すように、ノズル３４Ｒからは吐水流量Ｑ１の噴流を吐出させる。ノズル３４Ｌからの噴流は、左側面２ｅに沿って背側面２ａから足側２ｂへ噴出する。すると、入浴者Ｍの左側面２ｅに近い身体部位は、ノズル３４Ｌより噴出される方向と同じ方向に移動する。一方、ノズル３４Ｒからの噴流は、流量が小さいため、右側２ｄに近い身体部位は、移動しない。もしくは、ノズル３４Ｌからの噴流による移動する身体部位の移動の反動で、ノズル３４Ｒより噴出される水流の方向と反対方向に移動することとなる。即ち、体幹部ｍ１は、上から見て時計回り（ＣＷ）に旋回する。
また、ノズル３４Ｌからの噴流の流量を吐水流量Ｑ２とする時間は適宜設定されれば良く、例えば一定時間吐水流量Ｑ２での吐水を続け、体幹部ｍ１がＣＷに旋回した状態が一定時間持続してもよい。
【００４２】
その後、図２（ｂ）及び図３（ｂ）の矢印Ａ１で示すように、制御部５はポンプ４を作動させ、ノズル３４Ｌから吐水流量Ｑ１の噴流を吐出させる。また、図２（ｂ）の矢印Ａ２で示すように、ノズル３４Ｒからは吐水流量Ｑ２の噴流を吐出させる。
ノズル３４Ｒからの噴流は、右側面２ｄに沿って背側面２ａから足側２ｂへ噴出する。すると、入浴者Ｍの右側２ｄに近い身体部位は、ノズル３４Ｌより噴出される方向と同じ方向に移動する。一方、ノズル３４Ｌからの噴流は、流量が小さいため、左側２ｅに近い身体部位は、移動しない。もしくは、ノズル３４Ｒからの噴流による移動する身体部位の移動の反動で、ノズル３４Ｌより噴出される水流の方向と反対方向に移動することとなる。即ち、体幹部ｍ１は、上から見て反時計回り（ＣＣＷ）に旋回する。
また、ノズル３４Ｒからの噴流の流量を吐水流量Ｑ２とする時間は適宜設定されれば良く、例えば一定時間吐水流量Ｑ２での吐水を続け、体幹部ｍ１がＣＣＷに旋回した状態が一定時間持続してもよい。
【００４３】
噴流状態の周期は、目的や体調などに応じて適宜選択することができる。例えば、周期を長くすることで、ゆっくりとした筋の伸張を行わせることができる。また、周期を短くすると筋は短時間で多くの伸張を繰り返すことができ、効率よくストレッチを行うことが可能となる。
【００４４】
本発明において、入浴者の揺動とは、浴槽側面に沿った間欠的で２種類の回転方向を有する旋回流によって引き起こされる動作を意味する。そして、揺動とは、主に、旋回流によってもたらされる、体幹部を中心とした旋回運動と屈伸運動を意味する。さらに、旋回運動は、全身に波及することから、腕、脚部周りの筋群に筋活動を誘発させる。
【００４５】
このように、具体例１では、背側面２ａに備わるノズル３４Ｌ及び３４Ｒから左側面２ｅ及び、右側面２ｄに沿った噴流の吐水流量Ｑ１とＱ２に調節し、交互に噴出する。そして、入浴者Ｍは、体幹部ｍ１の旋回運動（ＣＷ、ＣＣＷ）を行うこととなる。このため、噴流の影響と、浴槽内特有の効果である浮力の働きなどが相乗して働くことで腹直筋、腹斜筋、脊柱起立筋等へ刺激を与えることができる。また、この体幹部ｍ１の運動は上肢（腕）ｍ８に波及し、上肢ｍ８の屈曲運動を引き起こすことができる。このように、本具体例では、体幹部ｍ１から上肢ｍ８にかけて上半身全体に対しストレッチ運動を行わせることができる。さらに、旋回運動によって得られる姿勢変化が、筋を活動させるトリガーとなり、筋活動を誘発させる。即ち、筋力向上へも働きかけるが可能となる。
【００４６】
また、ノズル３４より左右交互にリズムよく（例えば、１秒程度おきに）吐出されるようにすることで、より大きな運動を誘発することができる。  
さらに、この体幹部ｍ１の運動は、脚部ｍ３に波及して大腿部ｍ４や下腿部ｍ５の筋肉の伸縮を引き起こすことができる。これにより、入浴者Ｍは体幹部ｍ１から脚部ｍ３にかけての広い範囲の部位のストレッチ運動を行うことができる。  
また、具体例６でも具体例１に関して前述した各種効果、すなわち、他動運動による効果、入浴姿勢のまま行う運動による効果、及び入浴による温熱効果に伴う効果が得られる
【００４７】
また、この運動は外部から与えられる他力的な他動運動であり、入浴者の意志によって行われる自動運動ではないため、入浴者Ｍの意志力に依存する部分が少なく、長続きしやすい。また、この運動は入浴姿勢のまま行うことができるため、入浴者は、リラックスした状態で運動することができる。この結果、運動を継続しやすい。なお、「他動運動」とは、人が自分の筋力ではなく外力を利用して行う運動をいう。すなわち、本実施形態に係る浴槽装置は、入浴者を座らせた状態にありながら、他動的に運動を行わせることができる運動浴槽装置であると言える。
【００４８】
さらに、入浴による温熱効果により、運動効果がより一層向上する。また、噴流により入浴者Ｍの周囲の温度境界層が常に破壊されるため、入浴者Ｍが温まり易く、運動効果がさらに向上する。このように、前述した運動を浴槽内で行うことにより、浴槽外で行う場合と比較して、より高い運動効果を得ることができる。また、筋や関節への柔軟性も温熱効果によって高まり、運動と共に柔軟性を高める運動ともなる。
【００４９】
この浴槽装置によれば、浴槽の背側面２ｂにノズル３４を設け、浴槽側面に沿って噴流を吐出する。この場合、入浴者より近位にノズル３４を配置することで、浴槽側面に沿った旋回流が減衰する前に、入浴者Ｍの身体を揺動させることとなる。即ち、効果的に使用者へ旋回運動を提供するとともに、入浴しながらのストレッチ運動や筋機能を高める運動を実現できるようになる。
【００５０】
（具体例２）
次に、本実施形態の浴槽装置１の構成及び動作の他の一例（具体例２）について、図５〜図７を参照しつつ説明する。  
図５は、具体例２に係る浴槽装置１の構成及び動作を例示する模式平面図である。図５（ａ）は、入浴者Ｍの体幹部が反時計周りに旋回（ＣＣＷ）するときを表しており、図５（ｂ）は、入浴者Ｍの体幹部が時計回りに旋回（ＣＷ）するときを表している。
図６は、具体例２に係る浴槽装置１の構成及び動作を例示する模式側面図である。図６（ａ）は、入浴者Ｍの体幹部が反時計周りに旋回（ＣＣＷ）するときを表しており、図６（ｂ）は、入浴者Ｍの体幹部が時計回りに旋回（ＣＷ）するときを表している。
【００５１】
図５及び図６に表したように、具体例２では、足側面２ｂにノズル３１（ノズル３１Ｒ及びノズル３１Ｌ）が設けられている。また、制御部５は、ノズル３１Ｒから吐出される噴流の状態を、第１の噴流状態と、第２の噴流状態と、に交互に設定するとともに、ノズル３１Ｌから吐出される噴流の状態を、第１の噴流状態と、第２の噴流状態と、に交互に設定する。
【００５２】
吐水部３の名称の詳細を図５（ａ）、（ｂ）より説明する。図５（ａ）において、反時計周りの旋回流Ｄ２を生成するために、左側面２ｅに沿った第２の噴流状態Ａ２（吐水流量Ｑ２）を吐水する第１の吐水部を３１Ｌとする。一方、図５（ｂ）において、時計周りの旋回流Ｄ１を生成するために、右側面２ｄに沿って第２の噴流状態Ａ２（吐水流量Ｑ２）を吐水する第２の吐水部を３１Ｒとする。
【００５３】
そして、制御部５は、ノズル３１Ｒ及びノズル３１Ｌからの噴流状態が逆位相となるように制御する。すなわち、ノズル３１Ｌから吐出される噴流の状態は、ノズル３１Ｒから吐出される噴流の状態が第１の噴流状態であるときの略全期間において第２の噴流状態となり、ノズル３１Ｒから吐出される噴流の状態が第２の噴流状態であるときの略全期間において第１の噴流状態となる。以下、浴槽装置１の動作及び入浴者Ｍの状態について詳細に説明する。
【００５４】
まず、具体例１に関して前述したように、浴槽２内に水（湯）Ｗを入れた状態で、入浴者Ｍが浴槽２内に入り、入浴姿勢をとる（図１参照）。すなわち、入浴者Ｍは、臀部を底面２ｃに接触させ、背中ｍ２を背側面２ａに接触させ、足裏ｍ２を足側面２ｂに接触させる初期姿勢をとる。このとき、入浴者Ｍはリラックスした状態にあり、足関節、膝関節、及び股関節は脱力しているものとする。
【００５５】
この状態から、ポンプ４を作動させる。これにより、ポンプ４は、浴槽２内の水を吸入口７から汲み上げて噴流を生成し、ノズル３１に対して供給する。このとき、ノズル３１Ｒ及び３１Ｌからそれぞれ吐出される噴流の時間に対する吐水流量は、例えば図７に表した如くである。
【００５６】
図７は、時間に対するノズルからの吐水流量の具体例を例示するグラフ図である。  
図７に表したグラフ図においては、周期に対する吐水流量Ｑ２が持続する時間の割合（比率）を表すデューティ比は、「０．５」である。但し、このデューティ比（０．５）は、一例にすぎず、これだけに限定されるわけではない。また、第１の噴流状態（吐水流量Ｑ１）と、第２の噴流状態（吐水流量Ｑ２）と、は交互に切り替えられ、ノズル３１Ｒ及びノズル３１Ｌからの噴流状態は逆位相である。
【００５７】
図５（ａ）及び図６（ａ）の矢印Ａ２で示すようにノズル３１Ｌから吐水流量Ｑ２の噴噴流を吐出させる。ノズル３１Ｌからの噴流は、左側面２ｅに沿って足側面２ｂから背側面２ａへ噴出する。すると、入浴者Ｍの左側面２ｅに近い身体部位は、ノズル３１Ｌより噴出されう方向と同じ方向に移動する。一方、ノズル３１Ｒからの噴流は、流量が小さいため、右側２ｄに近い身体部位は、移動しない。もしくは、ノズル３１Ｌからの噴流による移動する身体部位の移動の反動で、ノズル３１Ｒより噴出される水流の方向と反対方向に移動することとなる。即ち、体幹部ｍ１は、上から見て反時計回り（ＣＣＷ）に旋回する。
また、ノズル３１Ｌからの噴流の流量を吐水流量Ｑ２とする時間は適宜設定されれば良く、例えば一定時間吐水流量Ｑ２での吐水を続け、体幹部ｍ１がＣＣＷに旋回した状態が一定時間持続してもよい。
【００５８】
その後、図５（ｂ）及び図６（ｂ）の矢印Ａ１で示すように、制御部５はポンプ４を作動させ、ノズル３１Ｌから吐水流量Ｑ１の噴流を吐出させる。また、図５（ｂ）の矢印Ａ２で示すように、ノズル３１Ｒからは吐水流量Ｑ２の噴流を吐出させる。
ノズル３１Ｒからの噴流は、右側面２ｄに沿って背側面２ａから足側２ｂへ噴出する。すると、入浴者Ｍの右側２ｄに近い身体部位は、ノズル３１Ｒより噴出される方向と同じ方向に移動する。一方、ノズル３１Ｌからの噴流は、流量が小さいため、左側２ｅに近い身体部位は、移動しない。もしくは、ノズル３１Ｒからの噴流による移動する身体部位の移動の反動で、ノズル３１Ｌより噴出される水流の方向と反対方向に移動することとなる。即ち、体幹部ｍ１は、上から見て時計回り（ＣＷ）に旋回する。
また、ノズル３１Ｒからの噴流の流量を吐水流量Ｑ２とする時間は適宜設定されれば良く、例えば一定時間吐水流量Ｑ２での吐水を続け、体幹部ｍ１がＣＷに旋回した状態が一定時間持続してもよい。
【００５９】
噴流状態の周期は、目的や体調などに応じて適宜選択することができる。例えば、周期を長くすることで、ゆっくりとした筋の伸張を行わせることができる。また、周期を短くすると筋は短時間で多くの伸張を繰り返すことができ、効率よくストレッチを行うことが可能となる。
【００６０】
このように、具体例１では、背側面２ａに備わるノズル３４Ｌ及び３４Ｒから左側面２ｅ及び、右側面２ｄに沿った噴流の吐水流量Ｑ１とＱ２に調節し、交互に噴出する。そして、入浴者Ｍは、体幹部ｍ１の旋回運動（ＣＷ、ＣＣＷ）を行うこととなる。このため、腹直筋、腹斜筋、脊柱起立筋等へ刺激を与えることができる。また、この体幹部ｍ１の運動は上肢（腕）ｍ８に波及し、上肢ｍ８の屈曲運動を引き起こすことができる。このように、本具体例では、体幹部ｍ１から上肢ｍ８にかけて上半身全体に対しストレッチ運動を行わせることができる。
【００６１】
また、ノズル３４より左右交互にリズムよく（例えば、１秒程度おきに）吐出されるようにすることで、より大きな運動を誘発することができる。  
さらに、この体幹部ｍ１の運動は、脚部ｍ３に波及して大腿部ｍ４や下腿部ｍ５の筋肉の伸縮を引き起こすことができる。これにより、入浴者Ｍは体幹部ｍ１から脚部ｍ３にかけての広い範囲の部位のストレッチ運動を行うことができる。  
また、具体例６でも具体例１に関して前述した各種効果、すなわち、他動運動による効果、入浴姿勢のまま行う運動による効果、及び入浴による温熱効果に伴う効果が得られる
【００６２】
また、この運動は外部から与えられる他力的な他動運動であり、入浴者の意志によって行われる自動運動ではないため、入浴者Ｍの意志力に依存する部分が少なく、長続きしやすい。また、この運動は入浴姿勢のまま行うことができるため、入浴者は、リラックスした状態で運動することができる。この結果、運動を継続しやすい。なお、「他動運動」とは、人が自分の筋力ではなく外力を利用して行う運動をいう。すなわち、本実施形態に係る浴槽装置は、入浴者を座らせた状態にありながら、他動的に運動を行わせることができる運動浴槽装置であると言える。
【００６３】
ノズル３１Ｌ及び３１Ｒより浴槽側面２ｅ、２ｄに沿った噴流を吐水する。この時、ノズル３１及び３１Ｒから使用者Ｍまでの距離は、具体例１に比べ長い。即ち、使用者Ｍは、ノズル３１Ｌ及び３１Ｒによって作られる浴槽側面に沿った吐水流量Ｑ１とＱ２の変化をゆっくり受ける。即ち、ノズル３１Ｌ及び３１Ｒによって作られる旋回流の変化は距離の分だけ使用者Ｍへ与える時間が長くなる。よって、緩やかな身体の揺動（旋回運動ＣＷ及びＣＣＷ）を得て、ゆっくりとしたリズムでストレッチを行うことが出来る。
【００６４】
また、具体例２でも具体例１に関して前述した各種効果、すなわち、他動運動による効果、入浴姿勢のまま行う運動による効果、及び入浴による温熱効果に伴う効果が得られる
【００６５】
この浴槽装置によれば、浴槽の足側面にノズル３１を設け、浴槽側面に沿って噴流を吐出する。この場合、入浴者より遠位にノズル３１を配置して、浴槽側面に沿った噴流を吐出するので、具体例１により浴槽壁面全体に沿わせることでより、効果的な旋回流を生成することが出来る。即ち、より効果的に使用者へ旋回運動を提供するとともに、入浴しながらのストレッチ運動や筋機能を高める運動を実現できるようになる。
【００６６】
（具体例３）
次に、本実施形態の浴槽装置１の構成及び動作のさらに別の一例（具体例３）について、図８及び図９を参照しつつ説明する。  
図８は、具体例３に係る浴槽装置１の構成及び動作を例示する模式平面図である。  
図９は、具体例３に係る浴槽装置１の構成及び動作を例示する模式側面図である。
図８（ａ）及び図９（ａ）は、浴槽内の湯水が噴流によって反時計周りに旋回する（ＣＣＷ）する状態を表しており、図８（ｂ）及び図９（ｂ）は、時計周りに旋回する（ＣＷ）状態を表している。
【００６７】
図８及び図９に表したように、具体例３では、足側面２ｂにノズル３１Ｌ及び３１Ｒを設け、足側面２ｂ対向する面である背側面２ａにノズル３４Ｌ及び３４Ｒを設けられている。そして、ノズル３１Ｌとノズル３４Ｌは、左側面２ｅに沿ってそれぞれ対向する噴流を吐水する。ノズル３１Ｒとノズル３４Ｒは、左側面２ｄに沿ってそれぞれ対向する噴流を吐水する。
【００６８】
吐水部３の名称を図８（ａ）、（ｂ）より説明する。例えば、図８（ａ）において、反時計周りの旋回流Ｄ２を生成するために、左側面２ｅに沿った第２の噴流状態Ａ２（吐水流量Ｑ２）を吐水する第１の吐水部である３１Ｌを設け、ノズル３１Lの、浴槽の略中心に対して点対称となる位置に、第３の吐水部である３４Ｒを設けた。
一方、図８（ｂ）において、時計周りの旋回流Ｄ１を生成するために、右側面２ｄに沿って第２の噴流状態Ａ２（吐水流量Ｑ２）を吐水する第２の吐水部である３１Ｒを設け、ノズル３１Rの、浴槽の略中心に対して点対称に位置に、第４の吐水部である３４Ｌを設けるする。
【００６９】
そして、制御部５は、ノズル３１及び３４から吐出される噴流の状態を、第１の噴流状態と、第２の噴流状態とに設定する。ノズル３１Ｌ及びノズル３４Ｒから吐出される噴流の状態は、同位相となり、ノズル３１Ｒ及びノズル３４Ｌから吐出される噴流の状態も、同位相となる。以下、入浴者Ｍの動作を例に取り上げて説明する。
【００７０】
まず、図８（ａ）及び図９（ａ）の矢印Ａ２で示すように、制御部５はポンプ４を作動させ、ノズル３１Ｌ及びノズル３４Ｒから吐水流量Ｑ２の噴流を吐出させる。ノズル３１Ｌからの噴流は、左側面２ｅに沿って足側面２ｂから背側面２ａへ噴出する。そして、ノズル３４Ｒからの噴流は、右側面２ｄに沿って背側面２ａから足側面２ｂへ噴出する。一方で、ノズル３１Ｒ及びノズル３４Ｌから吐水流量Ｑ１の噴流を吐出させる。ノズル３１Ｒからの噴流は、右側面２ｄに沿って足側面２ｂから背側面２ａへ噴出する。そして、ノズル３４Ｌからの噴流は、左側面２ｅに沿って背側面２ａから足側面２ｂへ噴出する。
【００７１】
すると、入浴者Ｍの左側面２ｅに近い身体部位は、左側面２ｅに沿って流れる噴流と同じ方向に移動することとなる。また、入浴者Ｍの右側面２ｄに近い身体部位は、右側面２ｄに沿って流れる噴流と同じ方向に移動するととなる。即ち、体幹部ｍ１は、上から見て反時計回り（ＣＣＷ）に旋回する。
また、ノズル３１Ｌ及び３４Ｒからの噴流の流量を吐水流量Ｑ２とする時間は適宜設定されれば良く、例えば一定時間吐水流量Ｑ２での吐水を続け、体幹部ｍ１がＣＣＷに旋回した状態が一定時間持続してもよい。
【００７２】
その後、図８（ｂ）及び図９（ｂ）の矢印Ａ１で示すように、制御部５はポンプ４を作動させ、ノズル３１Ｌ及びノズル３４Ｒから吐水流量Ｑ１の噴流を吐出させる。ノズル３１Ｌからの噴流は、左側面２ｅに沿って足側面２ｂから背側面２ａへ噴出する。そして、ノズル３４Ｒからの噴流は、右側面２ｄに沿って背側面２ａから足側面２ｂへ噴出する。
一方で、ノズル３１Ｒ及びノズル３４Ｌから吐水流量Ｑ２の噴流を吐出させる。ノズル３１Ｒからの噴流は、右側面２ｄに沿って足側面２ｂから背側面２ａへ噴出する。そして、ノズル３４Ｌからの噴流は、左側面２ｅに沿って背側面２ａから足側面２ｂへ噴出する。
【００７３】
すると、入浴者Ｍの左側面２ｅに近い身体部位は、左側面２ｅに沿って流れる噴流と同じ方向に移動することとなる。また、入浴者Ｍの右側面２ｄに近い身体部位は、右側面２ｄに沿って流れる噴流と同じ方向に移動するととなる。即ち、体幹部ｍ１は、上から見て時計回り（ＣＷ）に旋回する。
また、ノズル３１Ｒ及び３４Ｌからの噴流の流量を吐水流量Ｑ２とする時間は適宜設定されれば良く、例えば一定時間吐水流量Ｑ２での吐水を続け、体幹部ｍ１がＣＣＷに旋回した状態が一定時間持続してもよい。
【００７４】
図１０は、時間に対するノズルからの吐水流量の具体例を例示するグラフ図である。  
図１０に表したグラフ図においては、周期に対する吐水流量Ｑ２が持続する時間の割合（比率）を表すデューティ比は、「０．５」である。但し、このデューティ比（０．５）は、一例にすぎず、これだけに限定されるわけではない。なお、本願明細書において「周期」とは、第１の噴流状態（吐水流量Ｑ１）が開始してから次の第１の噴流状態（吐水流量Ｑ１）が開始するまでの時間、あるいは第２の噴流状態（吐水流量Ｑ２）が開始してから次の第２の噴流状態（吐水流量Ｑ２）が開始するまでの時間をいうものとする。
【００７５】
第１の噴流状態（吐水流量Ｑ１）と、第２の噴流状態（吐水流量Ｑ２）の切り替えについて説明する。ノズル３１Ｒとノズル３１Lからの噴流状態は、逆位相となる。同様に、ノズル３４Ｒ及びノズル３４Ｌからの噴流状態は逆位相である。そして、ノズル３１Lとノズル３４Ｒは同位相となり、ノズル３１Ｒとノズル３４Lも同位相となる。浴槽２に備わるノズル３１、３４より使用者を挟んで、浴槽壁面に噴流が沿って流れるよう、第１の噴流状態と第２の噴流状態を交互に切り替える。
【００７６】
このように、具体例３では、ノズル３１及び３４を組合わせることで、具体例１や具体例２に比べて、浴槽壁面に沿わした噴流の勢いを保持し、旋回流を浴槽内に効果的に生成できる。すなわち、浴槽内に発生する旋回流により使用者に、運動を提供することが出来る。図８〜図１０に記載したように、本実施例においてはノズル３１Lとノズル３４R、ノズル３１Rとノズル３４Lを、それぞれ浴槽の略中心に対して点対称に配置しており、更にはそれらの点対称に配置されたノズル同士の噴流状態を同期させ、同じタイミングにて吐水流量を切り替えている。この構成とすることで、足側と背側という２つの方向から浴槽壁面に沿う吐水を行うことができ、更に効率的な旋回流の生成が行える。
【００７７】
また、この旋回運動により、膝関節周りのストレッチも重点的に行える。本具体例では、使用者が膝に疾患を抱える場合であっても、湯Ｗの温熱によって筋や腱が柔軟性を得た後に筋や腱に対してストレッチ運動を行わせることができるため、無理な運動とならない。膝関節の働きは、生活習慣や加齢の影響を受け、歩行機能へ影響することが知られている。そのため、膝関節へのケアは、運動のみならずリハビリの観点からも重要となる。
【００７８】
さらに、この下腿部ｍ５の運動は、大腿部ｍ４や体幹部ｍ１に波及してこれら部位の運動をも引き起こすことができる。これにより、入浴者Ｍは脚部ｍ３から体幹部ｍ１にかけての広い範囲の部位のストレッチ運動を行うことができる。
【００７９】
また、具体例３でも具体例１に関して前述した各種効果、すなわち、他動運動による効果、入浴姿勢のまま行う運動による効果、及び入浴による温熱効果に伴う効果が得られる。
【００８０】
具体例３で記述したように吐水部を浴槽の略中心より点対称の位置に配置する。それにより、浴槽側面に生成される旋回流は、浴槽内週の半分程度で噴流が吐出されるため、使用者を揺動させる旋回流を維持することが可能となり、より効果的に使用者へ旋回運動を提供するとともに、入浴しながらのストレッチ運動や筋機能を高める運動を実現できるようになる。
【００８１】
さらに、具体例３の変形例について図１５より説明する。図１５に示すように浴槽の略中心点と点対称に吐水部がそれぞれ配置されている。具体的には、足側面２ｂに配置され左側面２ｅに沿って噴流を吐出する３１Ｌと、背側面２ａに配置され、右側面２ｄに沿って噴流を吐出する３４Ｒとを備えている。そして、浴槽壁面に沿って使用者を揺動させる強さの旋回流を時計周りに生成する。また、吐水部３１Ｌ及び３４Ｒより吐出される噴流を間欠的に制御することで、間欠的に旋回流を生成する。制御部５によって、３１Lと３４Rにおける噴流は同期している。すなわち、３１Lと３４Rとは、同時に第２の噴流状態での吐水を行うこととなる。
【００８２】
一定方向に誘発される間欠的な旋回流は、使用者に対しても旋回運動を間欠的に起こさせることとなる。すなわち、一定方向の旋回流を用いることで、運動機能などが弱まった高齢者やリハビリなどに用いる際、半身のリハビリを行うとした際、選択した１方向の旋回流を使って、使用者に適した運動を提供することが可能となる。また、具体例３の変形例として表示した図１５に示す以外に、ノズルを配置してい、１方向（時計周り、もしくは反時計周り）の旋回流によって運動を実施することも可能である。また、浴槽に対して、浴槽の略中心に点対称で設けられており、なおかつそれらの吐水状態を同期させていることから、より効率的に旋回流を生成することができる。
【００８３】
（具体例４）
次に、本実施形態の浴槽装置１の構成及び動作のさらに別の一例（具体例４）について、図１２を参照しつつ説明する。  
図１２は、具体例４に係る浴槽装置１の構成及び動作を例示する模式平面図である。  
図１２（ａ）及び（ｃ）は、浴槽内の湯水が噴流によって時計周りに旋回する（ＣＷ）するときを表しており、図８（ｂ）及び（ｄ）は、反時計周りに旋回する（CＣＷ）状態を表している。
【００８４】
図１２（ａ）、（ｂ）、（ｃ）、（ｄ）に表したように、具体例４では、右側面２ｄにノズル３５Ｒ、左側面２ｅにノズル３５Ｌが設けられている。ノズル３５から吐出される噴流は、浴槽壁面に沿って、浴槽内を流れる。その際、吐出される噴流の方向は、背側面２ａから足側面２ｂに向けて吐出する図１２（ａ）、図１２（ｂ）で例示する場合と、反対に、足側面２ｂから背側面２ａに向けて吐出する図１２（ｃ）、図１２（ｄ）で例示する場合とがある。
【００８５】
このとき吐水部３の名称を図１２（ａ）、（ｂ）、（ｃ）、（ｄ）より説明する。図１２（ａ）において、時計周りの旋回流Ｄ１を生成するために、左側面２ｅに沿った第２の噴流状態Ａ２（吐水流量Ｑ２）を吐水する第１の吐水部を３５Ｌとする。一方、図１２（ｂ）において、反時計周りの旋回流Ｄ２を生成するために、右側面２ｄに沿って第２の噴流状態Ａ２（吐水流量Ｑ２）を吐水する第２の吐水部を３５Ｒとする。
また、図１２（ｃ）において、時計周りの旋回流Ｄ１を生成するために、右側面２ｄに沿った第２の噴流状態Ａ２（吐水流量Ｑ２）を吐水する第１の吐水部を３５Ｒとする。一方、図１２（ｄ）において、反時計周りの旋回流Ｄ２を生成するために、左側面２ｅに沿って第２の噴流状態Ａ２（吐水流量Ｑ２）を吐水する第２の吐水部を３５Ｌとする。
【００８６】
そして、制御部５は、ノズル３５Ｒ及び３５Ｌから吐出される噴流の状態を、第１の噴流状態と、第２の噴流状態と、に交互に設定する。また、制御部５は、ノズル３５Ｒ及びノズル３５Ｌから吐出される噴流の状態は、逆位相となるように制御する。すなわち、ノズル３５Ｌから吐出される噴流の状態は、ノズル３５Ｒから吐出される噴流の状態が第１の噴流状態であるときの略全期間において第２の噴流状態となり、ノズル３５Ｒから吐出される噴流の状態が第２の噴流状態であるときの略全期間において第１の噴流状態となる。以下、浴槽装置１の動作及び入浴者Ｍの状態について詳細に説明する。
【００８７】
まず、図１２（ａ）の矢印Ａ２で示すように、制御部５はポンプ４を作動させ、ノズル３５Ｌから吐水流量Ｑ２の噴流を左側面２ｅに沿って、足側面２ｂに向かって吐出させる。一方、ノズル３５Ｒから吐水流量Ｑ１の噴流を右側面２ｄに沿って、足側面２ｂに向かって吐出させる。結果、浴槽内には、時計周りの旋回流が生まれる。そして、使用者は、図１２（ａ）で示すように、時計周りの旋回流によって体幹部を時計周りに旋回させることとなり、ストレッチ運動となる。また、ノズル３５Ｌからの噴流の流量を吐水流量Ｑ２とする時間は適宜設定されれば良く、例えば一定時間吐水流量Ｑ２での吐水を続け、体幹部ｍ１がＣＷに旋回した状態が一定時間持続してもよい。
【００８８】
その後、図１２（ｂ）の矢印Ａ２で示すように、制御部５はポンプ４を作動させ、ノズル３５Ｒから吐水流量Ｑ２の噴流を右側面２ｄに沿って、足側面２ｂに向かって吐出させる。一方、ノズル３５Ｌから吐水流量Ｑ１の噴流を左側面２eに沿って、足側面２ｂに向かって吐出させる。結果、浴槽内には、反時計周りの旋回流が生まれる。そして、使用者は、図１２（ｂ）で示すように、反時計周りの旋回流によって体幹部を反時計周りに旋回させることとなり、ストレッチ運動となる。また、ノズル３５Ｒからの噴流の流量を吐水流量Ｑ２とする時間は適宜設定されれば良く、例えば一定時間吐水流量Ｑ２での吐水を続け、体幹部ｍ１がＣＣＷに旋回した状態が一定時間持続してもよい。
【００８９】
また、図１２（ｃ）の矢印Ａ２で示すように、制御部５はポンプ４を作動させ、ノズル３５Rから吐水流量Ｑ２の噴流を右側面２ｄに沿って、背側面２ａに向かって吐出させる。一方、ノズル３５Ｌから吐水流量Ｑ１の噴流を左側面２ｅに沿って、背側面２ａに向かって吐出させる。結果、浴槽内には、時計周りの旋回流が生まれる。そして、使用者は、図１２（ｃ）で示すように、時計周りの旋回流によって体幹部を時計周りに旋回させることとなり、ストレッチ運動となる。また、ノズル３５Ｒからの噴流の流量を吐水流量Ｑ２とする時間は適宜設定されれば良く、例えば一定時間吐水流量Ｑ２での吐水を続け、体幹部ｍ１がＣＷに旋回した状態が一定時間持続してもよい。
【００９０】
その後、図１２（ｄ）の矢印Ａ２で示すように、制御部５はポンプ４を作動させ、ノズル３５Ｌから吐水流量Ｑ２の噴流を左側面２ｅに沿って、背側面２ａに向かって吐出させる。一方、ノズル３５Rから吐水流量Ｑ１の噴流を右側面２ｄに沿って、背側面２ａに向かって吐出させる。結果、浴槽内には、反時計周りの旋回流が生まれる。そして、使用者は、図１２（ｄ）で示すように、反時計周りの旋回流によって体幹部を反時計周りに旋回させることとなり、ストレッチ運動となる。また、ノズル３５Ｌからの噴流の流量を吐水流量Ｑ２とする時間は適宜設定されれば良く、例えば一定時間吐水流量Ｑ２での吐水を続け、体幹部ｍ１がＣＣＷに旋回した状態が一定時間持続してもよい。
【００９１】
以上説明した通り、旋回流によるストレッチ運動は、旋回流の方向によらず、時計回りと反時計回りの旋回流を、交互に生成することによって成される。
【００９２】
噴流状態の周期は、目的や体調などに応じて適宜選択することができる。例えば、周期を長くすることで、ゆっくりとした筋の伸張を行わせることができる。また、周期を短くすると筋は短時間で多くの伸張を繰り返すことができ、効率よくストレッチを行うことが可能となる。
【００９３】
このように、具体例４では、浴槽内に起こる時計周りと、反時計周りの旋回流によって、使用者に体幹部周りの旋回運動を行わせることが出来る。この時、浴槽内で起こる旋回流は積極的に旋回運動を誘発させるが、浴槽内にある湯水が流れ動くことで、使用者は入浴中の姿勢を保持しようと、体幹部周り動きが全身に波及することで、脚部、上肢の筋群を気づかないうちに使用するとこととなる。
【００９４】
また、前述したように、ノズル３５Ｒ、３５Ｌから吐出される噴流の状態は、噴流状態を逆位相とすれば、具体例１に関して前述したように体幹部周りを中心とした旋回運動をのような運動を実現せうることが出来る。また、これら噴流状態を左右のどちらかを積極的に吐水することで、使用者の鍛えたい部位を効率よく運動させるこる事が出来る。
【００９５】
一般的に吐水部を備える浴槽の形状は、浴室における浴槽の接地位置などを考慮して、右側作りと左側作りが容易されている。しかし、具体例４で記述したように、浴槽の左右側面（２ｅ、２ｄ）に、ノズル３５Ｒ及び３５Ｌを設けることで、ノズルの取り付けや、浴室に応じた配管施工などの問題が解消される。すなわち、浴室などの浴槽設置の配置に関係なく、旋回流を浴槽内に生成することが可能となる。
【００９６】
また、具体例４でも具体例１に関して前述した各種効果、すなわち、他動運動による効果、入浴姿勢のまま行う運動による効果、及び入浴による温熱効果に伴う効果が得られる。
【００９７】
具体例４の変形について、図１３を用いて説明する。図１２に例示したものと同様に、右側面２ｄ、左側面２ｅにノズル３５Ｒ及び３５Ｌを備える。そして、ノズル３５Ｒ及び３５Ｌは、それぞれの設置面に沿って、足側面２ｂに向かって吐出することも、背側面２ａに向かって吐出することも可能である。また、制御部５は、ノズル３５Ｒとノズル３５Ｌから吐水される方向は、逆位相となるように制御する。吐水状態について一例を図１３（ａ）（ｂ）より説明する。図１３（ａ）に例示するように、制御部５はポンプ４を作動させ、ノズル３５Ｌより、左側面２ｅに沿って足側面２ｂへ第２の噴流状態で吐水する。この時、ノズル３５Ｒは、右側面２ｄに沿って背側面２ａに向かって第２の噴流状態で吐出することとなる。即ち、浴槽内の湯水は、時計周りの旋回流を形成する。
【００９８】
一方、図１３（ｂ）に例示する場合、制御部５はポンプ４を作動させ、ノズル３５Ｒより右側面２ｄに沿って、第２の噴流状態で足側面２ｂに向かって吐出する。この時、ノズル３５Ｌは、左側面２ｅに沿って、第２の噴流状態で背側面２ａに向かって吐出することとなる。即ち、浴槽内の湯水は、反時計周りの旋回流を形成する。以下、浴槽装置１の動作及び入浴者Ｍの状態について詳細に説明する。
【００９９】
まず、図１３（ａ）、（ｂ）で例示されるように、浴槽内には、時計周りの旋回流と反時計周りの旋回流が交互に生まれる。この旋回流は、使用者を揺動させつつ、旋回運動を与える。旋回運動を起こす旋回流によって体幹部の筋群を中心に、浴槽内で入浴しながらストレッチ運動を実施できる。そして、図示しないが、この関節が屈曲した状態が一定時間持続して、積極的に運動したい方向を選択して旋回運動を実施してもよい。
【０１００】
浴槽の左右側面（２ｅ、２ｄ）に、ノズル３５Ｒ及び３５Ｌを設けることで、具体例３に比べて、浴槽側面に沿った旋回流を減衰させない吐水を、二つのノズルのみで実施することが出来る。そのため、施工の面からも複雑な配管等が必要ないなどのメリットがある。
【０１０１】
以上、各種具体例について説明した。これら具体例においては、入浴者Ｍはストレッチ運動の他、噴流状態の周期を高くするなどして歩行運動のような運動等の通常の運動を行うこともできる。
【０１０２】
例えば、具体例１（図２〜図４）の場合は、噴流状態の周期を比較的長くすることにより、補償動作を実現することができる。旋回運動により、入浴者Ｍは姿勢のバランスを崩され、不安定な姿勢となる。そのため、入浴者Ｍは、無意識に全身の筋肉を働かせて姿勢を安定させようとする補償動作を行う。これにより、入浴者Ｍは、バランストレーニングを行うことができる。
【０１０３】
また、本実施形態では、制御部５は、図１４に表したように第１及び第２の噴流状態の少なくともいずれかを変化させてもよい。  
図１４は、噴流状態の態様を例示する模式グラフ図である。  
図１４に表したように、制御部５は、第１及び第２の噴流状態の少なくともいずれかにおいて、ノズル３から吐出される噴流の流量Ｑを変化させてもよい。図では、第２の噴流状態における吐水流量Ｑ２は、Ｑ２１〜Ｑ２４の４つの値をとる。
【０１０４】
また、図１４に表したように、制御部５は、第１及び第２の噴流状態の少なくともいずれかの継続時間を変化させてもよい。図では、第１の噴流状態の継続時間は、ｂ１〜ｂ４の４つの値をとる。また、第２の噴流状態の継続時間は、ａ１〜ａ４の４つの値をとる。
また、図１４に表したように、制御部５は、ノズル３から吐出される噴流の状態の変化の周期を変化させてもよい。図では、周期は、Ｔ１〜Ｔ４の４つの値をとる。
【０１０５】
また、図１４に表したように、制御部５は、ノズル３から吐出される噴流の状態の変化の周期に対する第１及び第２の噴流状態の継続時間の割合（デューティ比）を変化させてもよい。図では、周期に対する第２の噴流状態の継続時間「ａ／Ｔ」は、ａ１／Ｔ１〜ａ４／Ｔ４の４つの値をとる。
【０１０６】
周期Ｔ１〜Ｔ４の噴流状態が終了した後においては、このような周期Ｔ１〜Ｔ４の噴流状態を規則的に繰り返してもよく、あるいはさらに別の噴流状態としてランダムに噴流を吐出させてもよい。
【０１０７】
このような構成によれば、ノズル３からの噴流の状態が規則的または不規則的に変更されるため、入浴者Ｍの運動は、規則的または不規則的に変化する。すなわち、同じリズムの運動が長期に亘り継続することはない。そのため、入浴者Ｍは、運動に慣れたり、飽きたりするおそれは少ない。したがって、入浴者Ｍに継続的に運動させることができる。
【０１０８】
さらに、入浴者Ｍの身体は、規則的または不規則的に変化する運動をするため、その運動の際に使用される身体の部位や筋群は、変化する。これにより、入浴者Ｍの身体の部位や筋群を広範囲に亘ってバランスよく運動させることができる。
【０１０９】
さらに、浴槽形状の変形例を図１１より説明する。図１１に示す浴槽のように足側面２ｂと右側面２ｄと左側面２ｅと背側面２ａが接続される四隅を、角のないＲ形状である凹Ｒ１からＲ４とする。すなわち、浴槽の上面視の形状を、角のない略円状とする。これによって、浴槽壁面に沿って流れる噴流を減衰させる比率を少なくし、効果的に噴流を浴槽壁面に沿わして旋回による運動を入浴者へ与えることが出来る。
【０１１０】
また、浴槽形状を円形、楕円形状とすることによって、浴槽壁面に沿った噴流は減衰することなく浴槽内を旋回する旋回流が生成される。この浴槽内を旋回する流れにって、より効果的に入浴者へ運動を提供することが出来る。
【０１１１】
即ち、効率よく浴槽壁面に沿った噴流を吐水することができることで、ポンプ４から吐水される吐水流量を少なくすることが出来、エコになる。もしくは、ポンプ４の出力を小さくすることでコンパクトなポンプ４へ置き換えることができ省スペースとなることも可能である。
【０１１２】
以上説明したように、本実施形態によれば、他動運動を実現し、これにより入浴者に継続的に運動させることができる浴槽装置が提供される。また、身体の部位をバランスよく運動させることができる浴槽装置が提供される。
【符号の説明】
【０１１３】
１ 浴槽装置、２ 浴槽、２ａ 背側面、２ｂ 足側面、２ｃ 底面、２ｄ 右側面、２ｅ 左側面、３ ノズル（吐水部）、４ ポンプ、４Ｌ ポンプ、４Ｒ ポンプ、５ 制御部、７ 吸入口、８ 操作部、３１ ノズル、３１Ｌ ノズル、３１Ｒ ノズル、３４ ノズル、３４Ｌ ノズル、３４Ｒ ノズル、３５ ノズル、３５Ｌ ノズル、３５Ｒ ノズル、６０ 浴室ユニット、６１ 防水パン、６２ 壁パネル、Ａ１、Ａ２、矢印、Ｃ 中心線、Ｍ 入浴者、ｍ１ 体幹部、ｍ２ 背中、ｍ３ 脚部、ｍ４ 大腿部、ｍ５ 下腿部、ｍ６ 足裏、ｍ７ 腰部、ｍ８ 上肢、ｍ９ 足部、ｍ１０ 股関節、ｍ１１ 腹部・体幹部、Ｗ 水（湯）
【図１】
2010220956.tif 000003
【図２】
2010220956.tif 000004
【図３】
2010220956.tif 000005
【図４】
2010220956.tif 000006
【図５】
2010220956.tif 000007
【図６】
2010220956.tif 000008
【図７】
2010220956.tif 000009
【図８】
2010220956.tif 000010
【図９】
2010220956.tif 000011
【図１０】
2010220956.tif 000012
【図１１】
2010220956.tif 000013
【図１２】
2010220956.tif 000014
【図１３】
2010220956.tif 000015
【図１４】
2010220956.tif 000016
【図１５】
2010220956.tif 000017